(57)【要約】【課題】狭い現場スペースにも設置が可能であり、セキュリティ上も安全を確保したうえで、鋼材量を可能な限り減らした減風効果のある防風柵を提供する。【解決手段】間隔をあけて立設された複数の支柱２と、支柱２間に遊嵌状態で架設された曲げに抵抗する棒状の添え部材４と、複数の孔が開口された略矩形の平板であると共に支柱２に四隅が遊嵌状態で取り付けられた防風パネル６とを備え、防風パネル６は、高さ方向よりも幅方向に長く配置されると共に、上端及び下端の複数箇所が添え部材４に遊嵌状態で取り付けられることを特徴とする。【選択図】図１
2014198966.tif 000002
【特許請求の範囲】
【請求項１】
間隔をあけて立設された複数の支柱と、
前記支柱間に遊嵌状態で架設された棒状の添え部材と、
複数の孔が開口された略矩形の平板であると共に前記支柱に四隅が遊嵌状態で取り付けられた防風パネルとを備え、
前記防風パネルは、高さ方向よりも幅方向に長く配置されると共に、上端及び下端の複数箇所が前記添え部材に遊嵌状態で取り付けられること
を特徴とする防風柵。
【請求項２】
前記防風パネルは、上端及び下端に取付部材を介して前記添え部材に遊嵌状態に取り付けられ、前記高さ方向に隣り合う前記取付部材の間隔よりも、前記幅方向に隣り合う前記取付部材の間隔が短いこと
を特徴とする請求項１記載の防風柵。
【請求項３】
隣り合う一対の取付部材は、一方の取付部材が上側の防風パネルに取り付けられ、他方の取付部材が下側の防風パネルに取り付けられており、
一対の前記取付部材に形成される間隔は、他の隣り合う一対の前記取付部材に形成される間隔と等しいこと
を特徴とする請求項２記載の防風柵。
【発明の詳細な説明】
【技術分野】
【０００１】
本発明は、狭い市街地に設置される際に好適な防風柵に関する。
【背景技術】
【０００２】
防風柵は、例えば、高速道路、橋梁、建設時に発生する土を一時的に保管するヤード等で風上側に設置して風を減風することにより風を防ぎさえぎることで、強風による通行や輸送への障害を対策する目的で使用される。防風柵は、取り付けられた防風パネルが曲げに抵抗して風圧に耐える構造である。このため、従来の防風パネルは、断面を山形形状にして断面性能を向上させる必要があった（特許文献１参照）。これにより、防風柵は、防風パネルの断面が山形形状であるため、鋼材量が増加し鋼材重量が大きくなっていた。従来の防風柵は、防風パネルの鋼材量が増加することにより、材料コストが高くなる点で問題があった。また、従来の防風柵は、この防風パネルの鋼材量の増加に伴い、運搬が困難になったり、設置にも時間がかかるため、施工性が悪くなり、施工コストが高くなる問題点があった。
【０００３】
また、従来の防風パネルは、上述のとおり断面形状が山形形状であるため、人が足をかけて登りやすく、防風柵を境界を隔てる柵としても使用する場合には、セキュリティ上にも問題があった。更に、従来の防風柵は、支柱であるＨ形鋼に当該Ｈ形鋼のフランジと平行に防風パネルをボルト等で取り付けた場合には、ボルトの端部が、支柱であるＨ形鋼のフランジに対して垂直方向となる奥行方向にはみ出るため、狭い場所に設置しにくいという問題点もあった。
【先行技術文献】
【特許文献】
【０００４】
【特許文献１】特開２００７−３１５１３５号公報
【発明の概要】
【発明が解決しようとする課題】
【０００５】
そこで本発明は、上述した問題点に鑑みて案出されたものであり、その目的とするところは、狭い現場スペースにも設置が可能であり、セキュリティ上も安全を確保したうえで、鋼材量を可能な限り減らした減風効果のある防風柵を提供することにある。
【課題を解決するための手段】
【０００６】
前記課題を解決するために、本発明に係る防風柵は、防風パネルを遊嵌状態で支柱に取り付けると共に高さ方向より幅方向を長くして防風柵を構築するように構成する。
【０００７】
本願第１の発明は、間隔をあけて立設された複数の支柱と、支柱間に遊嵌状態で架設された棒状の添え部材と、複数の孔が開口された略矩形の平板であると共に支柱に四隅が遊嵌状態で取り付けられた防風パネルとを備え、防風パネルは、高さ方向よりも幅方向に長く配置されると共に、上端及び下端の複数箇所が添え部材に遊嵌状態で取り付けられることを特徴とする。
【０００８】
本願第２の発明は、第１の発明において、防風パネルは、上端及び下端に取付部材を介して添え部材に遊嵌状態に取り付けられ、高さ方向に隣り合う取付部材の間隔よりも、幅方向に隣り合う取付部材の間隔が短いことを特徴とする。
【０００９】
本願第３の発明は、第２の発明において、隣り合う一対の取付部材は、一方の取付部材が上側の防風パネルに取り付けられ、他方の取付部材が下側の防風パネルに取り付けられており、一対の取付部材に形成される間隔は、他の隣り合う一対の取付部材に形成される間隔と等しいことを特徴とする。
【発明の効果】
【００１０】
第１の発明によれば、曲げに抵抗する棒状の添え部材が取り付けられているため、防風パネルは、幅方向へ撓みにくく、主に高さ方向へ撓ませることができる。また、防風パネルは、高さ方向が幅方向よりも短く、高さ方向へ撓み易いことから、奥行方向への撓み量を小さく制御し、奥行方向に設置領域が限られた狭い場所であっても設置が可能となる。更に、防風パネルの幅方向の長さを長くしても、添え部材を用いて高さ方向へ撓ませるので、支柱間を長くすることができ、支柱の設置本数を減らして、部材量を減らし、施工性、経済性が向上する。
【００１１】
また、第１の発明では、支柱間に添え部材が、遊嵌状態で架設され、更にこの添え部材に防風パネルが遊嵌状態で取付けられている。つまり、支柱と添え部材及び添え部材と防風パネルとは、この遊嵌状態に基づくクリアランスを有する。このクリアランスにより、防風パネルは、容易に撓むことできる。一般的に防風パネルに上下方向へ張力がかかった状態で撓み方向に荷重を受けると、即座に防風パネルに大きな荷重がかかり、防風パネルは破断してしまう可能性があるが、上述のクリアランスにより防風パネルが撓むことで、防風パネルの破断を防ぐことができる。この防風パネルは、上下を添え部材に回転フリーな状態で接続されており、引張力のみが作用する。従って、風荷重により生じる引張力に対して、必要断面積を満足する最小の板厚で設計することができ、曲げ剛性を向上させるための断面山形形状にする加工も不要とすることができる。このため、防風パネルは、折り曲げの無い平板状とすることができ、板厚を小さくして、鋼材重量を抑えることができる。更に、防風パネルが平板であり、断面山形形状でないため、人がよじ登ることができず、セキュリティ上も安全を確保することができる。
【００１２】
第２の発明によれば、高さ方向に隣り合う取付部材の間隔よりも、幅方向に隣り合う取付部材の間隔が短いことにより、第１の発明に比較して、更に幅方向よりも高さ方向へ撓みやすくすることができる。これにより、第１の発明よりも更に奥行方向への撓み量を小さく制御し、奥行方向に設置領域が限られた狭い場所であっても設置が可能となる。
【００１３】
第３の発明によれば、隣り合う一対の取付部材が、一方の取付部材が上側の防風パネルに取り付けられ、他方の取付部材が下側の防風パネルに取り付けられて間隔が形成されることにより、取付部材同士が干渉することがない。また、一対の取付部材に形成される間隔が他の隣り合う一対の取付部材に形成される間隔と等しいことにより、高さ方向成分のモーメントを打ち消しあう区間を設けることができる。また、この上下の防風パネルに取り付けられた一対の取付部材の間では、モーメントが生じる区間はあるものの、この一対の取付部材の区間を最小幅とすることで、添え部材に作用するモーメントも最小となり、添え部材の断面をより小さくすることで部材量を減らすことができ、経済的である。
【図面の簡単な説明】
【００１４】
【図１】本発明を適用した防風柵の正面図である。
【図２】図１のＡの領域を拡大した正面図である。
【図３】図２のＢの領域を拡大した正面図である。
【図４】（ａ）は、図２のＣの領域を拡大した正面図であり、（ｂ）は、（ａ）のＦ―Ｆ´の一部側断面図である。
【図５】図２のＤの領域を拡大した正面図である。
【図６】本発明を適用した防風柵に風があたったときに防風柵が撓む状態を示した斜視図である。
【図７】図２のＥの領域を拡大して、添え部材に高さ方向の荷重が作用している状態を示した正面図である。
【発明を実施するための形態】
【００１５】
以下、本発明の実施の形態に係る防風柵について、図面を参照しながら詳細に説明する。
【００１６】
図１は、本発明を適用した防風柵の正面図である。図２は、図１のＡの領域を拡大した正面図である。なお、左側にある支柱のＨ形鋼の左側のフランジに取り付けられた支持部材と、右側にある支柱のＨ形鋼の右側のフランジに取り付けられた支持部材は省略している。図３は、図２のＢの領域を拡大した正面図である。なお、支柱のＨ形鋼の左側のフランジに取り付けられた支持部材は省略している。図４（ａ）は、図２のＣの領域を拡大した正面であり、図４（ｂ）は、図４（ａ）のＦ―Ｆ´の一部側断面図である。図５は、図２のＤの領域を拡大した正面図である。
【００１７】
図１に示すように、防風柵１は、間隔をあけて立設された複数の支柱２と、支柱２に取り付けられた支持部材３と、支持部材３の間に遊嵌状態で架設された添え部材４と、支持部材３及び添え部材４に取付部材５を介して遊嵌状態で取り付けられた防風パネル６とを備えている。
【００１８】
支柱２は、ウェブ部２１の両端に一対のフランジ部２２、２３が連設されている。この支柱２は、Ｈ形鋼のウェブ部２１の座屈を防止するための補強用のスティフナーが取り付けられていてもよい。また、支柱２は、例えば、設置の容易性及び迅速性の観点からも、Ｈ形鋼を用いるのが望ましい。しかし、支柱２は、これに限定されるものではなく、角パイプ等を含め、支柱として十分な剛性を確保できるものであれば、如何なる断面形状の鋼材で構成されていてもよい。
【００１９】
支持部材３は、例えば、Ｕボルトである。支持部材３は、図３に示すようにＵボルト３１を支柱２のフランジ部２３の図示しない貫通孔に挿通し、フランジ部２３の両側からナット３２、３３で螺着固定されている。このＵボルト３１に対して、ナット３２、３３の締め付けを調整することにより、Ｕボルト３１のねじ山３４の長さ分だけ、支柱２及び添え部材４の建柱誤差を吸収することができる。なお、支持部材３は、Ｕボルト３１に限定されることなく、支柱２と添え部材４とを遊嵌状態に取り付けられれば如何なる形状、素材であってもよい。
【００２０】
添え部材４は、図２に示す幅方向に延長された棒体である添え部材本体４１と、添え部材本体４１の一方の端部に取り付けられた端部取付部材４２と、添え部材本体４１の他方の端部に取り付けられた端部取付部材４３とを備える。
【００２１】
添え部材本体４１は、例えば、丸鋼である。添え部材本体４１が丸鋼であることにより、曲げに抵抗し、図２の紙面垂直方向である奥行方向に撓むことを抑えることができる。なお、添え部材本体４１は、丸鋼に限定されることなく、添え部材４を奥行方向に撓むことを抑えて曲げに抵抗できる剛性を有するものであれば、如何なる形状、素材であってもよい。
【００２２】
端部取付部材４２、４３は、例えば、アイナットである。端部取付部材４２は、添え部材本体４１の一方の端部にある雄ねじ部４１ａが挿入される挿入部４５と、挿入部４５と連接される先端部４６とから形成される。端部取付部材４２は、添え部材本体４１の雄ねじ部４１ａが挿入部４５の挿入孔４５ａに挿入されることにより、添え部材本体４１に螺着固定される。端部取付部材４２は、先端部４６が略円弧状となっているため、支持部材３に対して、遊嵌状態に取り付けることができ、クリアランス４７を有する。端部取付部材４２と同様に、端部取付部材４３も図示しない先端部が略円弧状となっているため、支持部材３に対して、遊嵌状態に取り付けることができ、図示しないクリアランスを有する。
【００２３】
取付部材５は、図４（ｂ）に示すように、取付部材本体５１と、取付部材本体５１に挿通されたボルト５４と、ボルト５４を防風パネル６の反対側で螺着固定されるためのナット５５と、ボルト５４からナット５５が抜け落ちることを防ぐ留め具５６とを備える。取付部材本体５１は、上端にある端部５２、５３と、端部５２に連接される直線部５７と、端部５３に連結される直線部５８と、直線部５７、５８に連接されると共に下端にある端部５９とを備える。端部５２、５３は、正面視で略円形であり、略中央にそれぞれ貫通孔５２ａ、５３ａを有する。なお、貫通孔５２ａ、５３ａは、ボルト５４の断面形状に対応しており、ボルト５４を挿通できるのであれば、如何なる形状であってもよい。直線部５７と、直線部５７に連接される端部５９と、端部５９に連接される直線部５８は、断面Ｕ字形状であり、添え部材４を挿通させるための溝部５９ａを有する。
【００２４】
取付部材５は、防風パネル６の四隅を支持部材３と遊嵌状態に取り付けられ、防風パネル６の上端及び下端の複数箇所が添え部材４にそれぞれ遊嵌状態に取り付けられている。なお、取付部材５は、例えば、鋼製のシャックルを想定しているが、これに限定されることなく、支持部材３及び添え部材４と遊嵌状態に取り付けられるものであれば、如何なる形状、素材であってもよい。
【００２５】
また、図５に示すように、防風パネル６ａの下端に取り付けられた取付部材５ａは、隣り合う他の防風パネル６ｂに取り付けられる取付部材５ｂであって、取付部材５ａに最も近接する取付部材５ｂに対して、最小幅だけ離間されて等間隔に配置されている。この一対の取付部材５ａ、５ｂは、それぞれ、正面視での端部５２、５３の直径の大きさ、直線部５７、５８の幅の長さ、またそれぞれが幅方向のいずれか一方側に斜めに傾いた場合等の長さに応じて、いずれの状態になっても、取付部材５の取り付け作業が容易で施工性がよく、互いに干渉しない最小幅が確保されていればよい。この一対の取付部材５ａ、５ｂの間隔は、防風柵１を組み立て可能な範囲で小さいほど望ましい。なお、この一対の取付部材５ａ、５ｂは、互いに別部材としてそれぞれ添え部材４に取り付けられているが、これに限定されることなく、同一部材として添え部材４の幅方向の同一位置に取り付けられていてもよい。
【００２６】
防風パネル６は、図４（ｂ）に示すように、防風パネル本体６１と、防風パネル本体６１の正面側に取り付けられたプレート６３と、防風パネル本体６１及びプレート６３を両面側から挟むように取り付けられた樹脂ワッシャ６４とを備える。
【００２７】
防風パネル本体６１は、例えば、図４に示すように、複数の孔６２が開口された略矩形の平板である。防風パネル本体６１は、高さ方向よりも幅方向に長く配置されている。
【００２８】
この複数の孔６２は、貫通孔であり、例えば、図４に示すように略長方形に形成され、高さ方向に長手方向を有する長孔である。この孔６２は、防風パネル６の全体の面積に対して、例えば開口率約４０％程度の面積であると減風効果が向上する。この孔６２は、開口率約４０％程度の面積があれば、この長孔に限定されることなく、略円形であっても、略楕円形であってもよい。
【００２９】
プレート６３は、取付部材５が薄板で構成される防風パネル本体６１に当接し、風荷重を伝達することによる損傷を防ぐ補強の目的で設けられ、例えば、幅方向に長手方向である略八角形の平板である。プレート６３は、周囲を複数のリベット６５により防風パネル本体６１と一体に固定されていてもよい。
【００３０】
樹脂ワッシャ６４は、例えば、略円形の平板であり、プレート６３及び防風パネル本体６１が、取付部材５の端部５２、５３とが接触することにより、磨耗することを防止する役割を果たしている。樹脂ワッシャ６４の形状、素材は、限定されることなく、取付部材５の端部５２、５３との接触によりプレート６３及び防風パネル本体６１の磨耗を防止することができれば、如何なる形状、素材であってもよい。
【００３１】
このとき、防風パネル６は、取付部材本体５１の端部５２の図示しない挿通孔にボルト５４が挿通され、このボルト５４の先端は、樹脂ワッシャ６４、プレート６３及び防風パネル本体６１の図示しない挿通孔にも挿通されている。更に、ボルト５４の先端は、取付部材５の端部５２の反対側にある端部５３にも挿通されてナット５５により螺着固定されている。これにより、防風パネル６は、取付部材５と固定される。このとき留め具５６を付けることで、防風パネル６は、取付部材５との固定が緩んで外れることが防止される。なお、防風パネル６は、鋼製に限定されることなく、図１に示す紙面垂直方向である奥行方向の撓みを抑えることができれば、如何なる形状、素材であってもよい。
【００３２】
次に、本発明を適用した防風柵１の構築方法について図１〜３を参照しながら詳細に説明する。
【００３３】
まず、複数の支柱２を互いに間隔をあけて立設する。次に、柱２の高さ方向に所定間隔をおいて支持部材３を取り付けると共に、添え部材４の両端にある端部取付部材４２、４３の略円弧状のクリアランス４７に、幅方向に隣り合う支持部材３のＵボルト３１を嵌め込み、支柱２間に遊嵌状態に添え部材４を架設する。次に、防風パネル６の四隅を取付部材５を介してＵボルト３１に遊嵌状態に取り付ける。次に、図２に示すように、上下に隣り合う防風パネル６のうち、上側にある防風パネル６ａの下端にプレート６３及び樹脂ワッシャ６４を介して取付部材５を複数箇所取り付け、更に下側にある防風パネル６ｂの上端にプレート６３及び樹脂ワッシャ６４を介して取付部材５を複数箇所取り付ける。このとき、上下の隣り合う防風パネル６に取り付けられた取付部材５の端部５９の溝部５９ａに添え部材４を挿通させて、防風パネル６と添え部材４とを遊嵌状態に取り付けて、同様に、他の支柱２間に支持部材３、添え部材４、取付部材５及び防風パネル６も取り付けることにより、防風柵１が完成する。
【００３４】
次に、本発明を適用した防風柵１に風荷重が加わった場合について図６、７を参照しながら詳細に説明する。
【００３５】
図６は、本発明を適用した防風柵に風があたったときに防風柵が撓む状態を示した斜視図である。図７は、図２のＥの領域を拡大して、取付部材に鉛直方向の荷重が作用している状態を示した正面図である。なお、図６及び図７は、左側にある支柱のＨ形鋼の左側のフランジに取り付けられた支持部材と、右側にある支柱のＨ形鋼の右側のフランジに取り付けられた支持部材は省略している。
【００３６】
防風柵１は、図６に示すように、幅方向に金属製等の曲げに抵抗する棒状の添え部材４が取り付けられている。この添え部材４に防風パネル６が取り付けられているため、防風パネル６は、原則として奥行方向に撓みにくい。また、防風パネル６は、高さ方向に隣り合う取付部材５の間隔よりも、幅方向に隣り合う取付部材５の間隔が短く、更に支柱２と幅方向に隣り合う取付部材５との間隔が短くなっている。即ち、防風パネル６は、正面視では、領域ＰＱＸＹでは、幅方向のＰＱ区間よりも高さ方向のＰＹ区間の方が長く、領域ＯＰＹＺでは、幅方向のＯＰ間よりも高さ方向のＯＺ区間の方が長い。このため、防風パネル６は、正面から風が当たり荷重が加わると、ＰＱ区間の略中央が撓むよりもＰＹ区間の略中央が撓むことになる。同様に、防風パネル６は、ＯＰ区間の略中央が撓むよりもＯＺ区間の略中央が撓むことになる。これにより、防風パネル６は、主に幅方向よりも高さ方向へ撓みやすくなる。また、図２に示すとおり、防風パネル６における高さ方向のＯＺ区間は幅方向のＯＴ区間よりも短いため、防風パネル６における高さ方向への撓みは、幅方向の撓みよりも奥行方向への撓み量を抑えることができる。従って、防風柵１は、奥行方向に設置領域が限られた狭い場所であっても設置が可能となる。
【００３７】
また、防風パネル６は、上述のように、曲げに抵抗する棒状の添え部材４を使用することにより、幅方向の長さを長くしても、幅方向に撓むことなく高さ方向に撓むことになるので、支柱２間を長くすることができ、支柱２の設置本数を減らして、部材量を減らし、施工性、経済性が向上する。
【００３８】
また、支柱２の間に添え部材４が、支柱２に対して遊嵌状態で架設され、更にこの添え部材４に防風パネル６が遊嵌状態で取付けられていることにより、支柱２と添え部材４及び添え部材４と防風パネル６とは、互いにクリアランスを有する。このクリアランスにより、防風パネル６が高さ方向に張力が掛からず容易に撓むことできる。一般的に防風パネル６に上下方向に張力がかかった状態で撓み方向に荷重を受けると、即座に防風パネル６に大きな荷重がかかり、防風パネル６が破断してしまう可能性があるが、上述のクリアランスにより防風パネル６が撓むことで、防風パネル６の破断を防ぐことができる。
【００３９】
図７に示すように、防風パネル６ｂに取付部材５ｂが取り付けられた点Ｙ´に対応する添え部材４上の点ｙ´では、防風パネル６ｂに働く風荷重により防風パネル６が撓んで下方向の応力Ｆ1´が働く。一方、防風パネル６ａに取付部材５ａが取り付けられた点Ｙに対応する添え部材４上の点ｙでは、防風パネル６ａに働く風荷重により上方向の応力Ｆ1が働く。また、上述のように、互いに異なる防風パネル６ａ、６ｂにそれぞれ取り付けられた取付部材５ａ、５ｂは、互いに干渉することがない。このため、添え部材４では、防風パネル６における点Ｙと点Ｙ´に対応する点ｙと点ｙ´での高さ方向成分の下方向の応力Ｆ1´と上方向の応力Ｆ1が打ち消し合うことになり、高さ方向の力が釣り合うこととなる。これにより、例えば、同一の防風パネル６ｂに取り付けられた取付部材５ｂと添え部材４での取付位置の点ｙ´と、取付部材５ｃと添え部材４での取付位置の点ｘ´のｙ´ｘ´区間では、高さ方向成分のモーメントを打ち消し合う区間を設けることができる。同様に添え部材４におけるｚｙ区間、ｘｗ区間、ｗ´ｖ´区間、ｖｕ区間では、高さ方向成分のモーメントを打ち消し合う区間を設けることができる。更に、上述のとおり、取付部材５ａ、５ｂと添え部材４の取付位置であるｙｙ´区間は、取付部材５ａ、５ｂが干渉しない程度の最小幅にすることで、最小のモーメントの発生に抑えることができる。これにより、同様に、添え部材４上に取付部材５が取り付けられたｘ´ｘ区間、ｗｗ´区間、ｖ´ｖ区間もｙｙ´区間と等間隔にして、隣り合う一対の取付部材５が干渉しない程度の最小幅にすることで、最小のモーメントに抑えることができる。つまり、添え部材４は、風荷重による高さ方向の張力を打ち消し合わせることができる。
【００４０】
防風パネル６は、上下を添え部材４に回転フリーな状態で接続されており、引張力のみが作用する。従って、風荷重により生じる引張力に対して、必要断面積を満足する最小の板厚で設計することができる。これにより、防風パネル６は、曲げ剛性を向上させるための断面山形形状にする加工も不要とすることができる。このため、防風パネル６は、折り曲げの無い平板状とすることができ、板厚を小さくして、鋼材重量を抑えることができる。更に、防風パネル６が平板であり、断面山形形状でないため、人がよじ登ることができず、セキュリティ上も安全を確保することができる。
【００４１】
また、この異なる防風パネル６に取り付けられた最も近接する２つの取付部材５ａ、５ｂの間は、モーメントが生じる区間ではあるものの、この区間を最小幅とすることで、添え部材４に作用するモーメントも最小となり、添え部材４の断面をより小さくすることができ、鋼材量を減らし経済的となる。
【００４２】
なお、上述の説明では、防風柵１は、支柱２と防風パネル６とは、別部材である支持部材３、添え部材４及び取付部材５を介して遊嵌状態に取り付けられている実施例を説明してきたが、支持部材３、添え部材４及び取付部材５のうち何れか一つ又は二つがなく、例えば、支柱２と添え部材４、支柱２と防風パネル６の四隅及び添え部材４と防風パネル６が直接的に遊嵌状態で取り付けられていてもよい。
【００４３】
以上、本発明の実施形態の例について詳細に説明したが、前述した実施形態は、何れも本発明を実施するにあたって具体化の例を示したものに過ぎず、これらによって本発明の技術的範囲が限定的に解釈されてはならないものである。
【符号の説明】
【００４４】
１    防風柵
２    支柱
３    支持部材
４    添え部材
５、５ａ、５ｂ、５ｃ    取付部材
６、６ａ、６ｂ    防風パネル
２１    ウェブ部
２２、２３    フランジ部
３１    Ｕボルト
３２、３３、５５    ナット
３４    ねじ山
４１    添え部材本体
４１ａ    雄ねじ部
４２、４３    端部取付部材
４５    挿入部
４５ａ    挿入孔
４６    先端部
４７    クリアランス
５１    取付部材本体
５２、５３、５９    端部
５２ａ    貫通孔
５４    ボルト
５５    ナット
５６    留め具
５７、５８    直線部
５９ａ    溝部
６１    防風パネル本体
６２    孔
６３    プレート
６４    樹脂ワッシャ
６５    リベット
Ｆ1    上方向の応力
Ｆ1´    下方向の応力                                                                                
【図１】
2014198966.tif 000003
【図２】
2014198966.tif 000004
【図３】
2014198966.tif 000005
【図４】
2014198966.tif 000006
【図５】
2014198966.tif 000007
【図６】
2014198966.tif 000008
【図７】
2014198966.tif 000009